(57)【特許請求の範囲】
【請求項１】
出発地及び目的地を含む地図を示す地図画像を形成するための地図画像データを取得する地図画像データ取得部と、
前記地図画像中に存在する施設に関する情報を示す施設情報画像を形成するための施設情報画像データを取得する施設情報画像データ取得部と、
用紙の一方の面に形成される前記地図画像中の前記施設から前記目的地までの領域に重複しないように、前記用紙の他方の面に形成される前記施設情報画像の位置を決定する位置決定部と
を具備する情報処理装置。
【請求項２】
請求項１に記載の情報処理装置であって、
前記位置決定部は、前記地図画像中の前記目的地から特定の距離範囲を含む領域に重複しないように、前記用紙の他方の面に形成される前記施設情報画像の位置を決定する
情報処理装置。
【請求項３】
請求項１又は２に記載の情報処理装置であって、
前記施設情報画像データ取得部は、前記地図画像中に存在する複数の施設に関する情報を示す複数の施設情報画像を形成するための施設情報画像データを取得し、
前記位置決定部は、前記用紙の一方の面に形成される前記地図画像中の特定の施設から前記目的地までの領域に重複しないように、前記用紙の他方の面に形成される前記特定の施設に関する情報を示す施設情報画像の位置を決定する
情報処理装置。
【請求項４】
請求項３に記載の情報処理装置であって、
前記位置決定部は、前記用紙の一方の面に形成される前記地図画像中の前記目的地から前記複数の施設までのそれぞれの距離に応じて、前記用紙の他方の面に形成される前記複数の施設情報画像のそれぞれの位置を決定する
情報処理装置。
【請求項５】
請求項４に記載の情報処理装置であって、
前記位置決定部は、前記目的地からの距離が大きい施設ほど、前記用紙の他方の面に形成される当該施設の施設情報画像が前記用紙の一方の面に形成される前記地図画像中の前記目的地から離れて位置するように、前記複数の施設情報画像のそれぞれの位置を決定する
情報処理装置。
【請求項６】
請求項１乃至５の何れか一項に記載の情報処理装置であって、
前記地図画像を、前記用紙の一方の面に形成し、
前記施設情報画像を、前記地図画像中の前記施設から前記目的地までの領域に重複しないように、前記用紙の他方の面に形成する
画像形成部
をさらに具備する情報処理装置。
【請求項７】
情報処理装置を、
出発地及び目的地を含む地図を示す地図画像を形成するための地図画像データを取得する地図画像データ取得部と、
前記地図中に存在する施設に関する情報を示す施設情報画像を形成するための施設情報画像データを取得する施設情報画像データ取得部と、
用紙の一方の面に形成される前記地図画像中の前記施設から前記目的地までの領域に重複しないように、前記用紙の他方の面に形成される前記施設情報画像の位置を決定する位置決定部
として機能させるプログラム。
【発明の詳細な説明】
【技術分野】
【０００１】
本開示は、１枚の用紙に地図画像及び施設情報画像を形成することが可能な情報処理装置及びプログラムに関する。
【背景技術】
【０００２】
１枚の用紙に、地図画像と、施設（店舗等）のクーポン券等の画像とを形成（印刷）する技術が知られている（例えば、特許文献１乃至５参照。）
【先行技術文献】
【特許文献】
【０００３】
【特許文献１】特開平１１−１２６０２１号公報
【特許文献２】特開２００１−１９４１７２号公報
【特許文献３】特開２００２−３４２６５４号公報
【特許文献４】特開２０１１−２４８７２６号公報
【特許文献５】特開２００５−２５３９０号公報
【発明の概要】
【発明が解決しようとする課題】
【０００４】
１枚の用紙に地図画像及びクーポン券等の画像（以下、「施設情報画像」と称する）を形成する場合、地図画像及び施設情報画像の両方が、ユーザーにとって利用しやすいものであることが望ましい。
【０００５】
以上のような事情に鑑み、本開示の目的は、１枚の用紙に地図画像及び施設情報画像を形成することが可能な情報処理装置及びプログラムにおいて、地図画像及び施設情報画像の両方を、ユーザーにとって利用しやすいものとすることにある。
【課題を解決するための手段】
【０００６】
上記目的を達成するため、本開示の一形態に係る情報処理装置は、
出発地及び目的地を含む地図を示す地図画像を形成するための地図画像データを取得する地図画像データ取得部と、
前記地図画像中に存在する施設を示すに関する情報を示す施設情報画像を形成するための施設情報画像データを取得する施設情報画像データ取得部と、
用紙の一方の面に形成される前記地図画像中の前記施設から前記目的地までの領域に重複しないように、前記用紙の他方の面に形成される前記施設情報画像の位置を決定する位置決定部と
を具備する。
【０００７】
用紙の一方の面に形成される地図画像中の施設から目的地までの領域に重複しないように、用紙の他方の面に形成される施設情報画像の位置を決定することにより、施設情報画像が形成された部分（クーポン券）を用紙から切り離してもなお、施設から目的地までの地図としての機能を失うことなく、地図画像を使用することができる。
【０００８】
前記位置決定部は、前記地図画像中の前記目的地から特定の距離範囲を含む領域に重複しないように、前記用紙の他方の面に形成される前記施設情報画像の位置を決定する。
【０００９】
一般的に、ユーザーは、地図中、出発地よりも目的地に近い部分を長時間使用すると考えられる。このため、地図画像中の目的地から特定の距離範囲を含む領域（すなわち、目的地から比較的近い領域）には、いずれ切り離される可能性のある施設情報画像を配置しない。これにより、ユーザーは、地図画像中の目的地から特定の距離範囲を含む領域を、地図としての機能を失うことなく、長時間使用することができる。
【００１０】
前記施設情報画像データ取得部は、前記地図画像中に存在する複数の施設に関する情報を示す複数の施設情報画像を形成するための施設情報画像データを取得し、
前記位置決定部は、前記用紙の一方の面に形成される前記地図画像中の特定の施設から前記目的地までの領域に重複しないように、前記用紙の他方の面に形成される前記特定の施設に関する情報を示す施設情報画像の位置を決定する。
【００１１】
地図画像中の特定の施設から目的地までの領域に重複しないようにその特定の施設の施設情報画像の位置を決定することにより、その特定の施設の施設情報画像が形成された部分（クーポン券）を用紙から切り離してもなお、その特定の施設から目的地までの地図としての機能を失うことなく使用することができる。
【００１２】
前記位置決定部は、前記用紙の一方の面に形成される前記地図画像中の前記目的地から前記複数の施設までのそれぞれの距離に応じて、前記用紙の他方の面に形成される前記複数の施設情報画像のそれぞれの位置を決定する。
【００１３】
前記位置決定部は、前記目的地からの距離が大きい施設ほど、前記用紙の他方の面に形成される当該施設の施設情報画像が前記用紙の一方の面に形成される前記地図画像中の前記目的地から離れて位置するように、前記複数の施設情報画像のそれぞれの位置を決定する。
【００１４】
ユーザーは、目的地から遠い順に施設を訪れる可能性が高い。訪れる施設の順に施設情報画像を、地図画像中の前記目的地から離れる順に並べて配置することで、ユーザーは、使用する順に施設情報画像が形成された部分（クーポン券）を用紙から切り離すことができる。
【００１５】
情報処理装置は、
前記地図画像を、前記用紙の一方の面に形成し、
前記施設情報画像を、前記地図画像中の前記施設から前記目的地までの領域に重複しないように、前記用紙の他方の面に形成する
画像形成部をさらに具備する。
【００１６】
用紙の一方の面に形成される地図画像中の施設から目的地までの領域に重複しないように、用紙の他方の面に形成される施設情報画像の位置を決定することにより、施設情報画像が形成された部分（クーポン券）を用紙から切り離してもなお、施設から目的地までの地図としての機能を失うことなく、地図画像を使用することができる。
【００１７】
上記目的を達成するため、本開示の一形態に係るプログラムは、情報処理装置を、
出発地及び目的地を含む地図を示す地図画像を形成するための地図画像データを取得する地図画像データ取得部と、
前記地図中に存在する施設に関する情報を示す施設情報画像を形成するための施設情報画像データを取得する施設情報画像データ取得部と、
用紙の一方の面に形成される前記地図画像中の前記施設から前記目的地までの領域に重複しないように、前記用紙の他方の面に形成される前記施設情報画像の位置を決定する位置決定部
として機能させる。
【発明の効果】
【００１８】
本開示によれば、１枚の用紙に地図画像及び施設情報画像を形成することが可能な情報処理装置及びプログラムにおいて、地図画像及び施設情報画像の両方を、ユーザーにとって利用しやすいものとすることができる。
【図面の簡単な説明】
【００１９】
【図１】本開示の一実施形態に係る情報処理システムを示すブロック図である。
【図２】画像形成装置のハードウェア構成を示すブロック図である。
【図３】画像形成装置の機能的構成を示すブロック図である。
【図４】画像形成装置の動作を示すフローチャートである。
【図５】用紙の一方の面に形成される合成地図画像の具体例を示す図である。
【図６】用紙の他方の面に形成される施設情報画像の位置の具体例を示す図である。
【図７】変形例２に係る施設情報画像の位置の具体例を示す図である。
【発明を実施するための形態】
【００２０】
以下、図面を参照しながら、本開示の一実施形態を説明する。
【００２１】
（Ｉ．実施形態）
（１．情報処理システム）
図１は、本開示の一実施形態に係る情報処理システムを示すブロック図である。
情報処理システム１は、情報処理装置の一形態である画像形成装置（Multifunction Peripheral、以下単にＭＦＰと称する）１０と、サーバー装置２０とを有する。ＭＦＰ１０とサーバー装置２０とは、インターネット等のネットワークＮを介して相互に通信可能である。
【００２２】
ＭＦＰ１０は、典型的には、コンビニエンスストア等の公衆環境に設置される。ＭＦＰ１０は、ユーザーからの操作に基づいて、現在地（出発地）及び目的地を含む地図を示す地図画像を形成するための地図画像データを、ネットワークＮを介してサーバー装置２０から取得する。さらに、ＭＦＰ１０は、地図画像中に存在する施設（典型的には、飲食店や物販店等の店舗）に関する情報（典型的には、クーポン）を示す施設情報画像を形成するための施設情報画像データを、ネットワークＮを介してサーバー装置２０から取得する。ＭＦＰ１０は、取得した地図画像及び施設情報画像を、１枚の用紙に形成する。
【００２３】
（２．画像形成装置のハードウェア構成）
図２は、画像形成装置のハードウェア構成を示すブロック図である。
【００２４】
ＭＦＰ１０は、制御部１１を備える。制御部１１は、ＣＰＵ（Central Processing Unit）、ＲＡＭ（Random Access Memory）、ＲＯＭ（Read Only Memory）及び専用のハードウェア回路等から構成され、ＭＦＰ１０の全体的な動作制御を司る。ＭＦＰ１０を各機能部（後述）として機能させるコンピュータプログラムは、ＲＯＭ等の非一過性の記憶媒体に記憶される。
【００２５】
制御部１１は、画像読取部１２、画像処理部１４、画像メモリー１５、画像形成部１６、操作部１７、記憶部１８、ネットワーク通信部１３及び位置情報取得部１９等と接続されている。制御部１１は、接続されている上記各部の動作制御や、各部との間での信号又はデータの送受信を行う。
【００２６】
制御部１１は、ユーザーから、操作部１７またはネッワーク接続されたパーソナルコンピュータ（図示せず）等を通じて入力されるジョブの実行指示に従って、スキャナ機能、印刷機能及びコピー機能機能などの各機能についての動作制御を実行するために必要な機構の駆動及び処理を制御する。
【００２７】
画像読取部１２は、原稿から画像を読み取る。
【００２８】
画像処理部１４は、画像読取部１２で読み取られた画像の画像データを必要に応じて画像処理する。例えば、画像処理部１４は、画像読取部１２により読み取られた画像が画像形成された後の品質を向上させるために、シェーディング補正等の画像処理を行う。
【００２９】
画像メモリー１５は、画像読取部１２による読み取りで得られた原稿画像のデータを一時的に記憶したり、画像形成部１６での印刷対象となるデータを一時的に記憶したりする領域を有する。
【００３０】
画像形成部１６は、画像読取部１２で読み取られた画像データ等の画像形成を行う。
【００３１】
操作部１７は、ＭＦＰ１０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部１７ａを備えている。
【００３２】
ネットワーク通信部１３は、ネットワークＮに接続するためのインタフェースである。
【００３３】
記憶部１８は、画像読取部１２によって読み取られた原稿画像等を記憶する、ＨＤＤ（Hard Disk Drive）などの大容量の記憶装置である。
【００３４】
位置情報取得部１９は、典型的には、ＧＰＳ（Global Positioning System）センサーであるを含む。位置情報取得部１９は、ＭＦＰ１０の位置情報を取得して制御部１１に出力する。
【００３５】
（３．サーバー装置のハードウェア構成）
サーバー装置２０は、典型的な情報処理装置が大容量の記憶装置（ＨＤＤ（Hard Disk Drive）、ＳＳＤ（Solid State Drive）等）を有するものであり、そのハードウェア構成は図示を省略する。サーバー装置２０のＣＰＵ（Central Processing Unit）は、ＲＯＭ（Read Only Memory）に記録されたプログラムをＲＡＭ（Random Access Memory）にロードして実行する。サーバー装置２０は、記憶装置に、地図画像を形成するための地図画像データと、施設情報画像を形成するための施設情報画像データとを記憶する。サーバー装置２０は、ＭＦＰ１０からの要求に応じて、これらのデータを、ネットワークＮを通じてＭＦＰ１０に供給する。
【００３６】
（４．画像形成装置の機能的構成）
図３は、画像形成装置の機能的構成を示すブロック図である。
【００３７】
ＭＦＰ１０は、コンピューター読み取り可能な非一過性の記録媒体の一例であるＣＰＵに記録された情報処理プログラムを実行することにより、地図画像形成指示取得部１０１と、地図画像データ取得部１０２と、施設検索部１０３と、施設情報画像データ取得部１０４と、位置決定部１０５として動作する。
【００３８】
地図画像形成指示取得部１０１は、操作部１７に対するユーザーからの操作を、出発地（現在地）及び指定された目的地を含む地図画像を用紙に形成（印刷）するための指示として取得する。
【００３９】
地図画像データ取得部１０２は、出発地（現在地）及び目的地を含む地図を示す地図画像を形成するための地図画像データを、サーバー装置２０から取得する。
【００４０】
施設検索部１０３は、地図画像中に存在する特定数の施設を、サーバー装置２０から検索する。施設検索部１０３は、地図画像上に、施設が存在することを示す画像を配置することにより、合成地図画像データを生成する。
【００４１】
施設情報画像データ取得部１０４は、複数の施設に関する情報を示す施設情報画像を形成するための施設情報画像データを、記憶部１８から検索し取得する。
【００４２】
位置決定部１０５は、複数の施設の施設情報画像の用紙上の位置を決定する。
【００４３】
（５．画像形成装置の動作）
図４は、画像形成装置の動作を示すフローチャートである。
【００４４】
まず、ユーザーは、ＭＦＰ１０の操作部１７を操作して、目的地を指定し、その目的地までの地図画像を用紙に形成（印刷）するための指示を入力する。地図画像形成指示取得部１０１は、操作部１７に対するユーザーからの上記操作を、出発地（現在地）及び指定された目的地を含む地図画像を用紙に形成（印刷）するための指示（地図画像形成指示）として取得する（ステップＳ１０１）。地図画像形成指示取得部１０１は、地図画像形成指示を取得すると、指定された目的地を識別するための目的地識別情報を、地図画像データ取得部１０２に供給する。「目的地識別情報」とは、例えば、目的地の位置情報や目的地の名称など、目的地を一意に識別するための情報である。
【００４５】
地図画像データ取得部１０２は、地図画像形成指示取得部１０１から目的地識別情報を取得すると、ＭＦＰ１０（自機器）の位置情報を取得する。例えば、地図画像データ取得部１０２は、位置情報取得部１９に問い合わせて位置情報を取得したり、ＲＯＭ等が記憶する位置情報を取得する。地図画像データ取得部１０２は、出発地（現在地）及び目的地を含む地図を示す地図画像を形成するための地図画像データを、サーバー装置２０から取得する（ステップＳ１０２）。具体的には、地図画像データ取得部１０２は、ＭＦＰ１０（自機器）の位置情報（現在地）及び目的地識別情報をサーバー装置２０に供給し、サーバー装置２０が生成した地図画像データを取得する。地図画像データ取得部１０２は、地図画像データを、施設検索部１０３に供給する。「出発地及び目的地を含む地図を示す地図画像」の具体例は、後で詳細に説明する。
【００４６】
施設検索部１０３は、地図画像データ取得部１０２から、地図画像データを取得すると、この地図画像中に存在する特定数（典型的には、複数。以下複数として説明する。）の施設を、サーバー装置２０から検索する。具体的には、施設検索部１０３は、地図画像中に存在する複数の施設をそれぞれ一意に識別するための識別情報（施設識別情報）と、地図画像上での位置情報（座標情報）とを、サーバー装置２０から取得する。施設検索部１０３は、各座標情報により表される地図画像上の各位置に、各施設が存在することを示す画像を配置することにより、合成地図画像データを生成する（ステップＳ１０３）。「施設が存在することを示す画像」は予め記憶部１８が記憶しており、典型的には、地図画像上の位置を示す汎用のアイコンや、単なる文字である。施設検索部１０３は、サーバー装置２０から取得した複数の施設の施設識別情報及び座標情報を、施設情報画像データ取得部１０４に供給する。さらに、施設検索部１０３は、生成した合成地図画像データを、画像形成部１６に出力する。
【００４７】
施設情報画像データ取得部１０４は、施設検索部１０３から複数の施設の施設識別情報及び座標情報を取得する。施設情報画像データ取得部１０４は、取得した施設識別情報により識別される複数の施設に関する情報（典型的には、クーポン）を示す施設情報画像を形成するための施設情報画像データを、記憶部１８から検索し取得する（ステップＳ１０４）。「施設情報画像データ」は、ＭＦＰ１０が、特定のタイミングで（典型的には、定期的に（例えば、１日おき等））ネットワークＮを介して取得し、記憶部１８に記憶したものである。施設情報画像データ取得部１０４は、記憶部１８から取得した複数の施設の施設情報画像データと、各施設情報画像データが示す施設の座標情報とを、位置決定部１０５に供給する。
【００４８】
位置決定部１０５は、施設情報画像データ取得部１０４から、複数の施設の施設情報画像データ及び座標情報を取得する。位置決定部１０５は、複数の施設の座標情報に基づき、複数の施設の施設情報画像の用紙上の位置を決定する（ステップＳ１０５）。位置決定部１０５が決定する「施設情報画像の用紙上の位置」は、後で詳細に説明する。位置決定部１０５は、複数の施設の施設情報画像データと、複数の施設の施設情報画像の用紙上の位置を示す配置情報とを、画像形成部１６に出力する。
【００４９】
画像形成部１６は、施設検索部１０３から合成地図画像データを取得し、位置決定部１０５から施設情報画像データ及び配置情報を取得する。画像形成部１６は、施設検索部１０３から取得した合成地図画像データをもとに、合成地図画像を用紙の一方の面に形成する。画像形成部１６は、位置決定部１０５から取得した配置情報に基づく配置で、取得した施設情報画像データをもとに、施設情報画像を同じ用紙の他方の面に形成する（ステップＳ１０６）。
【００５０】
（６．合成地図画像の具体例）
図５は、用紙の一方の面に形成される合成地図画像の具体例を示す図である。
【００５１】
地図画像データ取得部１０２がサーバー装置２０から取得（ステップＳ１０２）した地図画像データに基づき、画像形成部１０６が生成する「出発地及び目的地を含む地図を示す地図画像」の具体例を説明する。出発地及び目的地は、それぞれ、地図画像中の特定の範囲内に位置することが、予め規定されている。典型的には、地図画像全体のうち、目的地（厳密には、「目的地」を示す画像）は一端の近傍に位置し、出発地（厳密には、「出発地」を示す画像）はこの一端から最も離れた他端の近傍に位置する。例えば、地図画像が長方形の場合、一辺（典型的には、上辺）の近傍に目的地が位置し、対辺（この場合、下辺）の近傍に出発地が位置する。さらに典型的には、一角（典型的には、左上角又は右上角）の近傍に目的地が位置し、対角（この場合、右下角又は左下角）の近傍に出発地が位置する。本実施形態では、「出発地及び目的地を含む地図を示す地図画像」として、図５に示す「右下角ＬＲの近傍に出発地３０１が位置し、左上角ＵＬの近傍に目的地３０２が位置する、長方形の地図を示す地図画像３１０」とする。
【００５２】
施設検索部１０３は、この地図画像３１０に、各施設の座標情報に基づいて、各施設（厳密には、「施設」を示す画像）３１１，３１２，３１３を配置する（ステップＳ１０３）。本実施形態では、図５に示すように、目的地３０２から遠い順に、施設３１１と、施設３１２と、施設３１３とが、地図画像３１０に配置される。これにより、合成地図画像３００が生成される。
【００５３】
合成地図画像３００は、用紙Ｓの一方の面Ｓ１の全域に形成（印刷）される。上のように、地図画像中、右下角ＬＲの近傍に出発地３０１が位置し、左上角ＵＬの近傍に目的地３０２が位置する。従って、用紙Ｓの一方の面Ｓ１の右下角Ｓ１ＬＲの近傍に出発地３０１が位置し、用紙Ｓの一方の面Ｓ１の左上角Ｓ１ＵＬの近傍に目的地３０２が位置する。
【００５４】
（７．施設情報画像の位置の具体例）
図６は、用紙の他方の面に形成される施設情報画像の位置の具体例を示す図である。
【００５５】
位置決定部１０５が複数の施設３１１，３１２，３１３の座標情報に基づき決定（ステップＳ１０５）する、複数の施設の施設情報画像の用紙上の位置について説明する。複数の施設の施設情報画像は、用紙Ｓの他方の面Ｓ２に形成される。図６中、施設情報画像４１１は施設３１１の、施設情報画像４１２は施設３１２の、施設情報画像４１３は施設３１３の施設情報画像である。「施設情報」は、典型的には、上述のようにクーポンである。より具体的には、用紙Ｓに形成された施設情報画像は、ユーザーが、この部分をクーポン券として用紙Ｓから切り離すことが想定されている。
【００５６】
図６の用紙Ｓの他方の面Ｓ２は、図５の用紙Ｓの一方の面Ｓ１の裏面である。従って、図６の用紙Ｓの他方の面Ｓ２の裏面である一方の面Ｓ１には、図５の合成地図画像３００が形成される。図６中、裏面である一方の面Ｓ１に形成される図５の合成地図画像３００に含まれる出発地３０１、目的地３０２及び施設３１１，３１２，３１３を、位置を説明上明確にするためそれぞれ点線で示す（これら点線で示す画像は、実際には、他方の面Ｓ２には形成されない）。
【００５７】
位置決定部１０５は、合成地図画像３００中の目的地３０２から特定の距離範囲を含む領域に重複しないように、施設情報画像４１１，４１２，４１３の位置を決定する（図６参照）。上述のように、用紙Ｓの施設情報画像４１１，４１２，４１３が形成された部分は、クーポン券として用紙Ｓから切り離すことが想定されている。このため、合成地図画像３００中、ユーザーがクーポン券として用紙Ｓから切り離した部分は、地図として使えなくなってしまう。一般的に、ユーザーは、地図中、出発地よりも目的地に近い部分を長時間使用すると考えられる。このため、合成地図画像３００中の目的地３０２から特定の距離範囲を含む領域（すなわち、目的地３０２から比較的近い領域）には、いずれ切り離される可能性のあるクーポン券としての施設情報画像４１１，４１２，４１３を配置しないことが望ましい。従って、位置決定部１０５は、合成地図画像３００中の目的地３０２から特定の距離範囲を含む領域（すなわち、目的地３０２から比較的近い領域）に重複しないように、施設情報画像４１１，４１２，４１３の位置を決定する。これにより、ユーザーは、合成地図画像３００中の目的地３０２から特定の距離範囲を含む領域を、地図としての機能を失うことなく、長時間使用することができる。なお、他方の面Ｓ２において、施設情報画像４１１，４１２，４１３を形成しない部分は、単にブランクとしても良いし（図６参照）、クーポン券と異なり切り離す必要のない画像（広告画像等）を形成してもよい。
【００５８】
上に加えて、位置決定部１０５は、合成地図画像３００中の特定の施設から目的地３０２までの領域に重複しないように、この特定の施設に関する情報を示す施設情報画像の位置を決定する。具体的には、位置決定部１０５は、合成地図画像３００中の施設３１１から目的地３０２までの領域に重複しないように、この施設３１１の施設情報画像４１１の位置を決定する（図６参照）。仮に、合成地図画像３００中の施設３１１から目的地３０２までの領域に施設情報画像４１１が重複する場合、施設情報画像４１１が形成された部分を用紙Ｓから切り離すと、合成地図画像３００中の施設３１１から目的地３０２までの領域の少なくとも一部は、地図として使えなくなってしまう。施設３１１の施設情報画像４１１が形成された部分を用紙Ｓから切り離してもなお、施設３１１から目的地３０２までの地図としての機能を失うことなくするためには、位置決定部１０５は、合成地図画像３００中の施設３１１から目的地３０２までの領域に重複しないように施設情報画像４１１の位置を決定する必要がある。合成地図画像３００中の施設３１１から目的地３０２までの領域に重複しないように施設情報画像４１１の位置を決定することにより、施設３１１の施設情報画像４１１が形成された部分を用紙Ｓから切り離してもなお、施設３１１から目的地３０２までの地図としての機能を失うことなく使用することができる。同様に、位置決定部１０５は、合成地図画像３００中の施設３１２から目的地３０２までの領域に重複しないように施設情報画像４１２の位置を決定し、施設３１３から目的地３０２までの領域に重複しないように施設情報画像４１３の位置を決定する（図６参照）。
【００５９】
さらに上に加えて、位置決定部１０５は、合成地図画像３００中の目的地３０２から施設３１１，３１２，３１３までのそれぞれの距離に応じて、施設情報画像４１１，４１２，４１３のそれぞれの位置を決定する。詳細には、位置決定部１０５は、目的地３０２からの距離が大きい施設ほど、施設情報画像が目的地３０２から離れて位置するように、施設情報画像のそれぞれの位置を決定する。具体的には、位置決定部１０５は、目的地３０２からの距離が最大の施設３１１の施設情報画像４１１が目的地３０２から最も離れるように、目的地３０２からの距離が２番目に大きい施設３１２の施設情報画像４１２が目的地３０２から２番目に離れるように、目的地３０２からの距離が最小の施設３１３の施設情報画像４１３が目的地３０２から最も近くになるように、それぞれの位置を決定する（図６参照）。
【００６０】
以上のように、本実施形態では、位置決定部１０５が施設情報画像４１１，４１２，４１３の位置を決定するための基準（ルール）としては、次の４点がある。
（１）施設情報画像４１１，４１２及び４１３が、目的地３０２から特定の距離範囲を含む領域に、重複しないこと。
（２）特定の施設に関する情報を示す施設情報画像４１１，４１２又は４１３が、この特定の施設３１１，３１２又は３１３から目的地３０２までの領域に重複しないこと。
（３）施設情報画像４１１，４１２及び４１３のそれぞれの位置が、目的地３０２から施設３１１，３１２及び３１３までのそれぞれの距離に応じること。
（４）上記（３）の具体例として、目的地３０２からの距離が大きい施設３１１，３１２又は３１３ほど、施設情報画像４１１，４１２又は４１３が、目的地３０２から離れること。
【００６１】
そこで、本実施形態では、上記４点のルールを満足するため、具体的には図６に示すように、位置決定部１０５は、施設３１１，３１２，３１３の施設情報画像４１１，４１２，４１３を、目的地３０２から遠い順に、用紙Ｓの下端から並べて配置する。ユーザーは、目的地３０２から遠い順に（出発地３０１から近い順に）施設３１１，３１２，３１３を訪れる可能性が高い。訪れる施設の順に施設情報画像４１１，４１２，４１３を用紙Ｓの下端から並べて配置することで、ユーザーは、使用する順にクーポン券を用紙Ｓから切り離すことができる。
【００６２】
なお、上記のルール（１）〜（３）のうち、何れか１つを用いてもよいし、何れか２つを組み合わせて用いてもよいし、３つ全てを満足してもよい。ルール（４）はルール（３）と組み合わせて用いることが必須の要件となる。
【００６３】
（８．まとめ）
特許文献１によれば、用紙の一方の面に、地図表示領域とクーポン券表示領域とが設けられる（特許文献１の図１参照）。このため、地図表示領域とクーポン券表示領域との何れもが、用紙のサイズに対して相対的に小さくなる可能性があり、ユーザーにとって何れも使い勝手が悪くなるおそれがある。
【００６４】
これに対して、本実施形態によれば、位置決定部１０５は、用紙Ｓの一方の面Ｓ１に形成される合成地図画像３００中の特定の施設から目的地３０２までの領域に重複しないように、用紙Ｓの他方の面Ｓ２に形成される特定の施設に関する情報を示す施設情報画像の位置を決定する。これにより、地図としての機能を最大限損なわないようにしつつ、地図として不必要になった部分（既に通り過ぎたエリア）の裏面を、余す事なく利用することができる。言い換えれば、ユーザーが地図上もはや確認する必要がない部分（既に通り過ぎたエリア）の裏面を再利用することができる。要するに、用紙の一方の面の全域に地図画像を形成し、他方の面の一部にいずれ切り離される施設情報画像を形成するにも拘らず、施設情報画像が切り離されるのは、地図上既に通り過ぎてからであるため、地図としての機能を損なうことが無い。言い換えれば、ユーザーが経路上必要な地図部分は、必ず、切り離されずに、目的地とともに地図に残っている。
【００６５】
また、本実施形態によれば、用紙の両面に地図画像及び施設情報画像（クーポン）を形成することで、用紙が無駄にならない。その上、地図画像と施設情報画像とを別々の用紙に形成すると、それぞれの用紙がばらばらになってユーザーにとって煩雑となるおそれがある。これに対して、本実施形態によれば、ユーザーがどちらか一方をなくしたり、意図的にクーポン券だけを捨ててしまう等のおそれがない。このため、施設にとっては、広告効果の増加が見込まれ、ユーザーのクーポン券の利用が増加が見込まれ、施設の利用者の増加が見込まれる。また、昨今、紙のクーポン券の代わりに、ウェブブラウザの画面に表示されたクーポン画像を代用することも増えているが、紙のクーポン券を用いることで、施設は、クーポン券の利用実績等を確認することが容易になる。
【００６６】
（ＩＩ．変形例）
以下の変形例において、上記実施形態と同様の構成及び動作等は説明を省略し、異なる点を中心に説明する。
【００６７】
（１．変形例１）
実施形態では、施設情報画像が複数の場合を説明したが、勿論、施設情報画像は１個でもよい。この場合も同様に、位置決定部１０５は、用紙Ｓの一方の面Ｓ１に形成される合成地図画像３００中の施設から目的地３０２までの領域に重複しないように、用紙Ｓの他方の面２に形成される施設情報画像の位置を決定する。
【００６８】
（２．変形例２）
実施形態では、用紙Ｓの下端から、施設３１１，３１２，３１３の施設情報画像４１１，４１２，４１３が、目的地３０２から遠い順に、用紙Ｓの下端から並べて配置された（図６参照）。しかしながら、位置決定部１０５は、合成地図画像３００中の目的地３０２から施設３１１，３１２，３１３までのそれぞれの距離に応じて、施設情報画像４１１，４１２，４１３のそれぞれの位置を決定する場合、次のようなレイアウト配置でもよい。本例によれば、位置決定部１０５が施設情報画像４１１，４１２，４１３の位置を決定するための上記ルールとして、少なくとも（１）、（２）及び（３）が満足される。
【００６９】
図７は、変形例２に係る施設情報画像の位置の具体例を示す図である。
施設情報画像は、左右に並ぶように２列に位置が決められてもよい。実施形態と同様に、目的地３０２からの距離が大きい施設ほど、施設情報画像が目的地３０２から離れて位置するように、施設情報画像のそれぞれの位置を決定すればよい。本例で言えば、用紙Ｓの下端から、施設３１１，３１２，３１３の施設情報画像４１１，４１２，４１３が、目的地３０２から遠い順に、用紙Ｓの下端から左右に並べて２列に配置される。
【００７０】
（３．変形例３）
実施形態では、施設検索部１０３は、地図画像中に存在する特定数の施設をサーバー装置２０から検索し、地図画像に施設が存在することを示す画像を配置して合成地図画像データを生成した（ステップＳ１０３）。これに対して、地図画像データ取得部１０２が、地図画像に施設が存在することを示す画像を配置した合成地図画像データと、施設識別情報とをサーバー装置２０から取得してもよい。その場合、施設検索部１０３及びステップＳ１０３が不要となる。
【００７１】
（４．変形例４）
実施形態では、地図画像データ取得部１０２は、地図画像データをサーバー装置２０から取得する（ステップＳ１０２）ため、ＭＦＰ１０（自機器）の位置情報（現在地）をサーバー装置２０に供給した。これに対して、地図画像データ取得部１０２は、ＭＦＰ１０（自機器）に一意に割り当てられた機器識別情報をサーバー装置２０に供給してもよい。ただし、サーバー装置２０が、複数（多数）のＭＦＰの機器識別情報と及び位置情報をテーブルとして保持していることが前提である。
【００７２】
（５．変形例５）
実施形態では、ＭＦＰ１０が、地図画像形成指示の取得（ステップＳ１０１）から画像形成（ステップＳ１０６）までの全ての動作を実行した。これに替えて、ユーザーが有する情報処理装置（パーソナルコンピューター、タブレット、スマートフォン等の携帯端末）が地図画像形成指示の取得（ステップＳ１０１）から施設情報画像データの位置決定（ステップＳ１０５）までの動作を実行してもよい。そして、携帯端末は、合成地図画像データと、施設情報画像データと、施設情報画像データの配置情報とを、ネットワークを介してＭＦＰに供給する。そして、ＭＦＰは、画像形成（ステップＳ１０６）だけを実行する。なお「ネットワークを介して」とは、携帯端末が直接ＭＦＰに画像データ等を送信することと、情報処理装置が一旦ネットワーク上のサーバー装置に画像データ等を保存してＭＦＰがサーバー装置から画像データ等を取得すること、の両方を含む。例えば、ユーザーが外出先で携帯端末を用いて地図を閲覧した後で、その地図をコンビニエンスストア等で印刷したいと考えるような場合に、この構成は有益である。
【００７３】
（６．変形例６）
実施形態では、１つの同じサーバー装置２０から、地図画像データ取得部１０２が地図画像データを取得し（ステップＳ１０２）、施設検索部１０３が施設識別情報及び座標情報を取得した（ステップＳ１０３）。これに対して、地図画像データ取得部１０２が地図画像データを取得するサーバー装置と、施設検索部１０３が施設識別情報及び座標情報を取得するサーバー装置とは、異なる別個のサーバー装置でも良い。
【００７４】
（７．変形例７）
実施形態では、施設情報画像データ取得部１０４は、施設情報画像データを、記憶部１８から検索して取得する。これに対して、施設情報画像データ取得部１０４は、ネットワークに接続されたサーバー装置（サーバー装置２０又は別のサーバー装置）から、施設情報画像データを検索して取得しても良い。
【００７５】
（８．変形例８）
実施形態では、施設検索部１０３は、地図画像上に施設を示す画像を配置することにより、合成地図画像データを生成した（ステップＳ１０３）。これに対して、地図画像上に施設を示す画像を配置しなくても良い。この場合、施設検索部１０３は、単に、地図画像データ取得部１０２から取得した地図画像データを、画像形成部１６に出力すればよい。あるいは、地図画像データ取得部１０２が、単に、地図画像データを画像形成部１６に出力してもよい。
【００７６】
（９．変形例９）
施設検索部１０３は、地図画像上に、出発地３０１から目的地３０２までの経路を示す経路画像をさらに配置することにより、合成地図画像データを生成してもよい。
【符号の説明】
【００７７】
１０…ＭＦＰ
２０…サーバー装置
１０１…地図画像形成指示取得部
１０２…地図画像データ取得部
１０３…施設検索部
１０４…施設情報画像データ取得部
１０５…位置決定部
【図１】
0006497347.tif 000002
【図２】
0006497347.tif 000003
【図３】
0006497347.tif 000004
【図４】
0006497347.tif 000005
【図５】
0006497347.tif 000006
【図６】
0006497347.tif 000007
【図７】
0006497347.tif 000008